(57)【要約】【課題】本発明は、複数の部品に分解した状態で梱包された製品を収納するとともに、収納された部品どうしを組み立てる場合の治具として活用される梱包容器を提供する。【解決手段】一実施形態の梱包容器１０は、本体１ａから取り外された状態でこの本体１ａと同梱される複数の部品を入れるための梱包容器１０であって、脚部（第１の部品）２１が内側に収まる第１の収納部１１と、取付金具（第２の部品）２２が内側に収まる第２の収納部１２と、を有している。第２の収納部１２は、この内側に収める第１の姿勢Ｐ１、および、第１の収納部１１から取り出された脚部２１を組み付けるために支持する第２の姿勢Ｐ２に、取付金具２２を保持する。【選択図】      図８
2008195404.tif 000002
【特許請求の範囲】
【請求項１】
本体から取り外された状態でこの本体とともに梱包箱に同梱される複数の部品を入れるための梱包容器であって、
第１の部品が内側に収まる第１の収納部と、
第２の部品が内側に収まる第２の収納部と、を有し、
前記第２の収納部は、この内側に収める第１の姿勢、および、前記第１の収容部から取り出された前記第１の部品を組み付けるために支持する第２の姿勢に、前記第２の部品を保持する
ことを特徴とする梱包容器。
【請求項２】
前記第２の収納部は、前記第２の部品を前記第２の姿勢で支持する場合に、前記第１の部品と組み合わされる前記第２の部品の一部を露出させることを特徴とする請求項１に記載の梱包容器。
【請求項３】
前記梱包箱の内部で前記本体を保持する緩衝部材に支持されていることを特徴とする請求項１に記載の梱包容器。
【請求項４】
薄型表示装置のスタンドを本体から取り外して複数に分解した状態で収納し、前記薄型表示装置と同梱されるスタンド用の梱包容器であって、
前記スタンドの脚部が内側に収まる第１の収納部と、
前記本体に前記脚部を連結する取付金具が内側に収納される第２の収納部と、を有し、
前記第２の収納部は、収める場合の高さが組み付けられる場合の高さよりも小さくなる第１の姿勢、および、前記脚部と組み合わされた場合の向きと上下が逆になった第２の姿勢に、前記取付金具を保持する
ことを特徴とする梱包容器。
【発明の詳細な説明】
【技術分野】
【０００１】
本発明は、本体から取り外された状態でこの本体と同梱される複数の部品を入れるための梱包容器に関する。
【背景技術】
【０００２】
製品を出荷する際、全ての組立が終わった完成品にすると嵩張るものは、いくつかの部品に分解された状態で梱包される。複数部品に分解された状態の製品は、購入したユーザのもとで完成品に組み立てられる。床面に設置するスタンドベースをスタンド支柱から取り外された状態で本体と同梱された薄型表示装置が特許文献１に開示されている。このスタンドベースは、薄型表示装置が入ったままの梱包箱を逆さにして取り出され、薄型表示装置に取り付けられているスタンド支柱と連結される。
【０００３】
また、薄型表示装置の梱包箱として特許文献２に開示されたものは、表示装置のスタンド機構を背面に取り付けるために、部分的に切り開ける構造を有している。スタンド機構は、スタンド脚と、スタンド支柱に固定された表示装置取付部とが分割されている。スタンド脚とスタンド支柱とが取付ネジによって連結された後、スタンド機構は、梱包箱に切り開かれた開口部から梱包箱の中に挿入され、表示装置の背面に取り付けられている。
【特許文献１】特開２００６−１６８７３５
【特許文献２】特開２００６−１６０３３５
【発明の開示】
【発明が解決しようとする課題】
【０００４】
しかしながら、製品が大きいと、分解された部品も一つひとつが大きく、組み立てる場合に取り扱いが容易ではない。また、特に主要な構造に係る部品である場合は、組立作業にも細心の注意が必要である。
【０００５】
そこで、本発明は、複数の部品に分解した状態で梱包された製品を収納するとともに、収納された部品どうしを組み立てる場合の治具として活用される梱包容器を提供する。
【課題を解決するための手段】
【０００６】
本発明に係る一形態の梱包容器は、本体から取り外された状態でこの本体と同梱される複数の部品を入れるための梱包容器であって、第１の部品が内側に収まる第１の収納部と、第２の部品が内側に収まる第２の収納部と、を有している。第２の収納部は、この内側に収める第１の姿勢、および、第１の収納部から取り出された第１の部品を組み付けるために支持する第２の姿勢に、第２の部品を保持する。
【発明の効果】
【０００７】
本発明に係る一形態の梱包容器は、本体から取り外された状態で本体と同梱される複数の部品を互いに組み合わせる場合に利用され、一方の部品の姿勢を組立作業に適した姿勢に置き換えて保持することができるので、分解して収納された部品を容易に組み立てることができる。
【発明を実施するための最良の形態】
【０００８】
本発明に係る一実施形態の梱包容器１０は、薄型表示装置の一例である液晶ディスプレイ１のスタンド２を分解した状態で収納するものを例に、図１から図１２を参照して説明する。説明の便宜上、画面３に向かって鑑賞者の右手側を右、左手側を左、と定義する。また、画面３側を前面とし、その反対側を背面４とする。
【０００９】
液晶ディスプレイ１は、転倒防止を考慮した十分な設置面積を確保するために、画面３に直交する奥行き方向に十分な幅を有したスタンド２が用意される。したがって、画面３の寸法が大きくなるにつれて、スタンド２もまた大きくなる。このような場合、スタンド２を組み付けた状態で液晶ディスプレイ１を梱包すると、梱包箱５のサイズがスタンド２の大きさに応じて大きくなる。梱包箱５のサイズが大きいと一度に多くの製品を輸送できなくなるため、製品一つ当たりの輸送コストが高くなる。したがって、梱包箱５の容積をできる限り小さく収めるために、大型の液晶ディスプレイ１は、スタンド２を取り外した状態で梱包される。
【００１０】
図５に示すように液晶ディスプレイ１の本体１ａは、右上、左上、右下、左下の４つの角部に発泡スチロール製の緩衝部材６ＲＵ，６ＬＵ，６ＲＢ，６ＬＢが装着された状態で、梱包箱５に収納されている。液晶ディスプレイ１の背面４側と梱包箱５の側壁５１との間にできる空間に、スタンド２を分解した状態で収納する梱包容器１０が入れられている。さらに、取扱説明書、周辺機器との接続ケーブル、アンテナケーブル、電源コード、操作リモコンなどの付属品は、別途、用意される内箱７に収納され、梱包容器１０の上方に空いた空間に入れられる。内箱７がこの位置に収納されていることによって、ユーザは、梱包箱５の天蓋５２を解放したらすぐに取扱説明書を取り出すことができる。
【００１１】
内箱７の大きさは、梱包箱５に収められた状態の梱包容器１０の上から梱包箱５の天蓋５２までの高さにちょうど合う寸法である。また、梱包容器１０は、右下および左下に配置された緩衝部材６ＲＢ，６ＬＢの間に挟まれている。このように設けられることによって、スタンド２を収納した梱包容器１０が梱包箱５の内部でしっかりと固定される。
【００１２】
梱包容器１０は、液晶ディスプレイ１の一部であるスタンド２をさらに脚部２１と取付金具２２とに分解した状態で収納している。図１に示すように、梱包容器１０は、第１の収納部１１と第２の収納部１２と第３の収納部１３とを備えている。第１の収納部１１は、図７に示すように第１の部品である脚部２１を収納する。脚部２１は、いわゆるブーメラン形に形成されている。第１の収納部１１は、この脚部２１の外形に沿う形に作られている。
【００１３】
第２の収納部１２は、図３に示すように第２の部品である取付金具２２を収納する。取付金具２２は、図１１、図１２に示すように液晶ディスプレイ１の本体１ａに脚部２１を連結する。取付金具２２は、図４に示すように回動支持軸２３を備えており、脚部２１に対して液晶ディスプレイ１の本体１ａの画面の向きを左右に振り向けることができる。また、第２の収納部１２は、図３に示す第１の姿勢Ｐ１と、図４に示す第２の姿勢Ｐ２に、取付金具２２を保持することができる。
【００１４】
第１の姿勢Ｐ１とは、図１に示した梱包容器１０において、梱包容器１０の高さ寸法内に収まる取付金具２２の姿勢であり、第２の姿勢Ｐ２とは、実際に液晶ディスプレイ１の本体１ａと脚部２１との間に取り付けられた状態に対して上下が逆さになった取付金具２２の姿勢である。第２の姿勢Ｐ２にセットされた取付金具２２は、図４に示したように脚部２１と連結される回動支持軸２３が梱包容器１０から突出した状態となる。したがって、第１の姿勢Ｐ１における取付金具２２の高さ寸法は、第２の姿勢Ｐ２における取付金具２２の高さ寸法よりも小さい。
【００１５】
そのため、取付金具２２は、第１の姿勢Ｐ１で収納されることによって、図１に示した梱包容器１０の高さ寸法を小さくすることができる。つまり、梱包容器１０は、図５に示した梱包箱５に入れられた状態で、液晶ディスプレイ１の奥行き方向に、梱包箱５の寸法を小さくすることができる。
【００１６】
図２に示すように第２の収納部１２は、斜面１４と当止１５と溝１６とを有している。斜面１４は、第１の姿勢Ｐ１の取付金具２２を支持する。当止１５は、斜面１４の下端側に設けられて第１の姿勢Ｐ１の取付金具２２を支持する。溝１６は、斜面１４と当止１５との間で第２の姿勢Ｐ２の取付金具２２を支持する。
【００１７】
第３の収納部１３は、脚部２１と取付金具２２とを連結するためのネジ２４や、取付金具２２を液晶ディスプレイ１の本体１ａに固定するためのネジ２５が入れられている。梱包容器１０は、第１の収納部１１や第２の収納部１２の縁よりも一段高くなった、上部外周縁１７を有している。図５及び図６に示すように、梱包箱５に収納されている状態では、段差を埋める厚みのカバー１８がこの内側に取り付けられる。
【００１８】
また、梱包容器１０は、上部外周縁１７と嵌合する形状に底部の外周に段差部１９が形成されている。梱包容器１０は、上部外周縁１７および段差部１９を有することによって、梱包容器１０を複数段に積み重ねやすい。
【００１９】
以上のように構成された梱包容器１０は、脚部２１と取付金具２２とネジ２４，２５を収納した状態で、図５に示されるように、液晶ディスプレイ１の本体１ａや、取扱説明書などが収納された内箱７とともに梱包箱５に入れられて出荷される。ユーザに配送された液晶ディスプレイ１は、梱包箱５を開梱され、ユーザによって、あるいは、配送を行うサービスエンジニアによって、以下の手順で組み立てられる。
【００２０】
まず、図５に示すように天蓋５２が開けられた梱包箱５から内箱７が取り出され、次に、図６に示した状態の梱包容器１０が取り出される。図７に示すように、第２の収納部１２に第１の姿勢Ｐ１で収まっている取付金具２２を取り出して反転させて、図８に示すように第２の収納部１２に第２の姿勢Ｐ２にして戻す。脚部２１を第１の収納部１１から取り出し、図９に示すように反転させる。脚部２１は、図１０に示すように取付金具２２に嵌め込まれ、第３の収納部１３に入っていたネジ２４によって、固定される。
【００２１】
脚部２１と取付金具２２とがしっかりと固定されたことが確認されたら、脚部２１を持ち上げ、梱包容器１０から取付金具２２を引き出す。このように、梱包容器１０は、組立治具としても利用することができ、取付金具２２を組み立てやすい向きに保持しておくことができる。したがって、脚部２１と取付金具２２と連結してスタンド２を組み立てる作業を簡単に行うことができる。
【００２２】
組み立てられたスタンド２は、さらに梱包箱５から取り出された液晶ディスプレイ１の本体１ａと組み合わされる。図１１に示すように、例えば、画面３を伏せた状態で座卓などの背の低いテーブルの上に液晶ディスプレイ１の本体１ａを置く。ただし、スタンド２が本体１ａに組みつけられた状態で、脚部２１が床面から離れている高さが必要である。本体１ａの底部には、スタンド２の取付金具２２を差し込む開口部１ｂが設けられている。図１２に示すように、本体１ａに差し込んだスタンド２は、本体１ａの背面４側から通されるネジ２５で本体１ａと固定される。スタンド２が取り付けられた液晶ディスプレイ１は、テーブルの上から立て起こされて、ユーザの希望する場所に設置される。
【００２３】
なお、梱包箱５、梱包容器１０、内箱７、および緩衝部材６ＲＵ，６ＬＵ，６ＲＢ，６ＬＢは、配送したサービスエンジニアによって、即日あるいは後日回収することによって、繰り返し利用することもできる。また、上述の実施形態では、液晶ディスプレイ１のスタンド２を分解して梱包容器１０に収納し、梱包箱５に同梱しているが、液晶ディスプレイ１を壁掛けタイプにして利用するユーザに対しては、スタンド２の変わりに壁掛用のハンガを梱包容器に収納していてもよい。
【００２４】
また、液晶ディスプレイ１は、薄型表示装置の一例であるので、プラズマディスプレイ、表面伝導型電子放出素子ディスプレイ、有機エレクトロルミネッセンスディスプレイなどの表示装置であってもよい。
【図面の簡単な説明】
【００２５】
【図１】本発明に係る第１の実施形態の梱包容器を示す斜視図。
【図２】図１に示した梱包容器の第２の収納部を拡大した斜視図。
【図３】図２に示した第２の収納部に取付金具を第１の姿勢で収めた状態の斜視図。
【図４】図２に示した第２の収納部に取付金具を第２の姿勢で収めた状態の斜視図。
【図５】図１に示した梱包容器にスタンドを収納して液晶ディスプレイを梱包した状態の斜視図。
【図６】図５に示した梱包容器を梱包箱から取り出した状態の斜視図。
【図７】図６に示した梱包容器から第１の姿勢で収納された取付金具を取り出した上体の斜視図。
【図８】図７に示した状態から取付金具を反転させたのち第２の姿勢で第２の収納部に戻した状態の斜視図。
【図９】図８に示した状態から第１の収納部に収まっていた脚部を取り出して反転させた状態の斜視図。
【図１０】図９に示した状態から脚部を取付金具に装着し固定する状態の斜視図。
【図１１】図１０において脚部と取付金具とが組み合わされたスタンドを液晶ディスプレイの底部から差し込む状態の斜視図。
【図１２】図１１において液晶ディスプレイの底部から装着し固定する状態の斜視図。
【符号の説明】
【００２６】
１…液晶ディスプレイ（薄型表示装置）、１ａ…本体、２…スタンド、５…梱包箱、６ＲＵ，６ＬＵ，６ＲＢ，６ＬＢ…緩衝部材、１０…梱包容器、１１…第１の収納部、１２…第２の収納部、２１…脚部（第１の部品）、２２…取付金具（第２の部品）、Ｐ１…第１の姿勢、Ｐ２…第２の姿勢。
【図１】
2008195404.tif 000003
【図２】
2008195404.tif 000004
【図３】
2008195404.tif 000005
【図４】
2008195404.tif 000006
【図５】
2008195404.tif 000007
【図６】
2008195404.tif 000008
【図７】
2008195404.tif 000009
【図８】
2008195404.tif 000010
【図９】
2008195404.tif 000011
【図１０】
2008195404.tif 000012
【図１１】
2008195404.tif 000013
【図１２】
2008195404.tif 000014